(57)【要約】【課題】電子辞書などの情報表示制御装置において、例えば通常の辞書検索に伴い説明情報が表示された場合に、当該説明情報に含まれている単語を検索対象に指定して当該単語に対応する発音記号に対応付けられた見出語を検索して表示する。【解決手段】英語類語として検索表示された説明情報の中から類語である単語をジャンプ検索対象に指定すると共に、検索方式として「類似発音検索」を選択すると、指定の単語を発音記号に変換して当該発音記号と同一および類似の発音記号を有する見出語（単語）をさらに検索表示させ、そのうち所望の見出語の説明情報についても容易に表示させることができる。【選択図】 図８
2010040045.tif 000002
【特許請求の範囲】
【請求項１】
見出語と発音記号と説明情報とを対応付けて複数記憶する辞書記憶手段と、
この辞書記憶手段により記憶された何れかの見出語とその説明情報を表示させるように制御する第１の情報表示制御手段と、
この第１の情報表示制御手段により表示制御された見出語とその説明情報から、当該説明情報中にある単語をユーザ操作に応じて指定する指定手段と、
この指定手段により指定された単語を当該単語に対応する発音記号に変換する変換手段と、
この変換手段により変換された発音記号に対応付けられて前記辞書記憶手段により記憶された見出語を検索する見出語検索手段と、
この見出語検索手段により検索された見出語と当該見出語に対応付けられて前記辞書記憶手段により記憶された説明情報を表示させるように制御する第２の情報表示制御手段と、
を備えたことを特徴とする情報表示制御装置。
【請求項２】
前記見出語検索手段は、前記変換手段により変換された発音記号に同一である発音記号および類似する発音記号に対応付けられて前記辞書記憶手段により記憶された見出語を検索することを特徴とする請求項１に記載の情報表示制御装置。
【請求項３】
前記変換手段により変換された発音記号の一部分をユーザ操作に応じて選択する発音部分選択手段をさらに備え、
前記見出語検索手段は、前記発音部分選択手段により発音記号の一部分が選択された場合に、当該発音記号の一部分を有する発音記号に対応付けられて前記辞書記憶手段により記憶された見出語を検索する発音部選択見出語検索手段を有する、
ことを特徴とする請求項１に記載の情報表示制御装置。
【請求項４】
前記変換手段により変換された発音記号の全体音節、第１音節または第２音節をキー操作に応じて選択する発音音節選択手段と、
この発音音節選択手段により発音記号の全体音節、第１音節または第２音節が選択された場合に、当該選択された音節を有する発音記号に対応付けられて前記辞書記憶手段により記憶された見出語を検索する音節選択見出語検索手段と、
この音節選択見出語検索手段により検索された見出語を一覧にして表示させるように制御する見出語一覧表示制御手段と、
この見出語一覧表示制御手段により一覧表示された見出語のうちキー操作に応じて選択された見出語に対応付けられて前記辞書記憶手段により記憶された説明情報を表示させるように制御する選択見出語情報表示制御手段と、
を備えることを特徴とする請求項１に記載の情報表示制御装置。
【請求項５】
前記辞書記憶手段は、複数種類の辞書のそれぞれについて見出語と発音記号と説明情報とを対応付けて複数記憶し、
前記第１の情報表示制御手段により前記辞書記憶手段により記憶された何れかの辞書の見出語の発音記号と説明情報とが表示された後、当該辞書記憶手段により記憶された何れかの辞書をユーザ操作に応じて選択する辞書選択手段を備え、
前記見出語検索手段は、前記辞書記憶手段により記憶され且つ前記辞書選択手段により選択された辞書から見出語を検索し、
前記第２の情報表示制御手段は、前記辞書記憶手段により記憶され且つ前記辞書選択手段により選択された辞書について前記見出語検索手段により検索された見出語と当該見出語に対応付けられて記憶された説明情報を表示させるように制御する、
ことを特徴とする請求項１ないし請求項３の何れか１項に記載の情報表示制御装置。
【請求項６】
見出語と発音記号と説明情報とを対応付けて複数記憶する辞書記憶手段を備えた電子機器のコンピュータを制御するための情報表示制御プログラムであって、
前記コンピュータを、
前記辞書記憶手段により記憶された何れかの見出語とその説明情報を表示させるように制御する第１の情報表示制御手段、
この第１の情報表示制御手段により表示制御された見出語とその説明情報から、当該説明情報中にある単語をユーザ操作に応じて指定する指定手段、
この指定手段により指定された単語を当該単語に対応する発音記号に変換する変換手段、
この変換手段により変換された発音記号に対応付けられて前記辞書記憶手段により記憶された見出語を検索する見出語検索手段、
この見出語検索手段により検索された見出語と当該見出語に対応付けられて前記辞書記憶手段により記憶された説明情報を表示させるように制御する第２の情報表示制御手段、
として機能させるようにした情報表示制御プログラム。
【発明の詳細な説明】
【技術分野】
【０００１】
本発明は、電子データ化した種々の辞書データベースを記憶して任意の見出語に対応する言語訳や意味内容などの説明情報を検索表示するための情報表示制御装置および情報表示制御プログラムに関する。
【背景技術】
【０００２】
従来から、英和辞典，英英辞典，英類語辞典，和英事典，国語辞典などの各種の辞典や辞書を電子データ化してＲＯＭなどの記憶媒体に格納し、これに基づき各種の言語や語句を検索文字列として入力し、検索された見出語（単語など）の訳語や意味内容などの説明情報を読み出して表示するようにした電子辞書装置が広く実用されている。
【０００３】
近年このような電子辞書装置では、所望の見出語を検索してその見出語および説明情報を表示させた後に、当該説明情報の中にある任意の文字列を直接指定し、この指定された文字列についてさらに辞書検索を行うようにしたジャンプ検索機能が搭載されている。
【０００４】
一方、従来の電子辞書装置において、検索対象あるいはジャンプ検索対象として入力あるいは指定する文字列は、例えば英語の場合はその英文字単位あるいは単語単位とされており、この英文字あるいは単語の綴り（スペル）に完全一致したり類似する見出語が辞書データベースから検索されて表示されるようになっている。
【０００５】
ここで、前記入力された文字列や単語の綴り（スペル）に類似する単語を検索して候補表示するようにしたスペルチェック装置が考えられている（例えば、特許文献１参照。）。
【先行技術文献】
【特許文献】
【０００６】
【特許文献１】特開平０８−０９５９７７号公報
【発明の概要】
【発明が解決しようとする課題】
【０００７】
従来の電子辞書装置あるいはスペルチェック装置では、検索対象となる文字列や単語の綴り（スペル）が一致したり類似したりする単語を辞書データベースから検索し、検索された見出語として一覧表示することはできるものの、発音記号が一致したり類似する単語を検索することはできないため、特に、検索表示された説明情報の中にある任意の文字列を直接指定して更なる辞書検索を行うようにしたジャンプ検索機能を利用する場合に、当該説明情報に含まれている単語を検索対象に指定して当該単語に対応する発音記号から辞書検索を行うことはできない問題がある。
【０００８】
本発明は、このような課題に鑑みなされたもので、例えば通常の辞書検索に伴い説明情報が表示された場合に、当該説明情報に含まれている単語を検索対象に指定して当該単語に対応する発音記号に対応付けられた見出語を検索して表示することが可能になる情報表示制御装置および情報表示制御プログラムを提供することを目的とする。
【課題を解決するための手段】
【０００９】
本発明の情報表示制御装置は、見出語と発音記号と説明情報とを対応付けて複数記憶する辞書記憶手段と、この辞書記憶手段により記憶された何れかの見出語とその説明情報を表示させるように制御する第１の情報表示制御手段と、この第１の情報表示制御手段により表示制御された見出語とその説明情報から、当該説明情報中にある単語をユーザ操作に応じて指定する指定手段と、この指定手段により指定された単語を当該単語に対応する発音記号に変換する変換手段と、この変換手段により変換された発音記号に対応付けられて前記辞書記憶手段により記憶された見出語を検索する見出語検索手段と、この見出語検索手段により検索された見出語と当該見出語に対応付けられて前記辞書記憶手段により記憶された説明情報を表示させるように制御する第２の情報表示制御手段とを備えたことを特徴としている。
【発明の効果】
【００１０】
本発明によれば、表示された説明情報の中から単語を指定すると、指定の単語を発音記号に変換して当該発音記号に対応付けられた見出語をさらに検索表示し、検索された見出語の説明情報についても容易に表示させることができる。
【図面の簡単な説明】
【００１１】
【図１】本発明の情報表示制御装置の実施形態に係る携帯機器（電子辞書）１０の電子回路の構成を示すブロック図。
【図２】前記携帯機器（電子辞書）１０のメモリ１２に記憶される類似発音テーブル１２ｃのテーブルデータを示す図。
【図３】前記携帯機器（電子辞書）１０のメモリ１２に記憶される発音記号テーブル１２ｄのテーブルデータを示す図。
【図４】前記携帯機器（電子辞書）１０による辞書検索処理（その１）を示すフローチャート。
【図５】前記携帯機器（電子辞書）１０による辞書検索処理（その２）を示すフローチャート。
【図６】前記携帯機器（電子辞書）１０による辞書検索処理でのジャンプ検索に伴い説明情報中の発音記号を直接指定した場合の操作表示状態（その１）を示す図。
【図７】前記携帯機器（電子辞書）１０による辞書検索処理でのジャンプ検索に伴い説明情報中の発音記号を直接指定した場合の操作表示状態（その２）を示す図。
【図８】前記携帯機器（電子辞書）１０による辞書検索処理でのジャンプ検索に伴い説明情報中の単語を指定して「類似発音検索」を選択した場合の操作表示状態を示す図。
【図９】前記携帯機器（電子辞書）１０による辞書検索処理でのジャンプ内容／辞書選択ウインドウＷ２′を示す図。
【発明を実施するための形態】
【００１２】
以下図面により本発明の実施の形態について説明する。
【００１３】
図１は、本発明の情報表示制御装置の実施形態に係る携帯機器（電子辞書）１０の電子回路の構成を示すブロック図である。
【００１４】
この携帯機器（電子辞書）１０は、以下に説明する電子辞書機能を備えたＰＤＡ(personal digital assistants)、ＰＣ(personal computer)、携帯電話、電子ブックとして構成されるか、電子辞書専用の携帯機器として構成される。この携帯機器（電子辞書）１０は、各種の記憶媒体に記録されたプログラム、又は、伝送されたプログラムを読み込んで、その読み込んだプログラムによって動作が制御されるコンピュータによって構成され、その電子回路には、ＣＰＵ(central processing unit)１１が備えられる。
【００１５】
ＣＰＵ１１は、メモリ１２内に予め記憶された装置制御プログラム、あるいはＲＯＭカードなどの外部記憶媒体１３から記憶媒体読取部１４を介して前記メモリ１２に読み込まれた装置制御プログラム、あるいはインターネットＮ上のＷｅｂサーバ（この場合はプログラムサーバ）２０から通信部１５を介して前記メモリ１２に読み込まれた装置制御プログラムに応じて、回路各部の動作を制御するもので、前記メモリ１２に記憶された装置制御プログラムは、キーやタッチパネルからなる入力部１６からのユーザ操作に応じた入力信号、あるいは通信部１５を介して接続されるインターネットＮ上の各Ｗｅｂサーバ２０…との通信信号、あるいは記憶媒体読取部１４を介して外部接続されるＥＥＰＲＯＭ，ＲＡＭ，ＲＯＭなどのメモリカード（記憶媒体）１３との接続通信信号に応じて起動される。
【００１６】
前記ＣＰＵ１１には、前記メモリ１２、記憶媒体読取部１４、通信部１５、入力部１６が接続される他に、ＬＣＤからなる表示部１７などが接続される。
【００１７】
メモリ１２には、当該携帯機器（電子辞書）１０の全体の動作を司るシステムプログラムや通信部１５を介してインターネットＮ上の各Ｗｅｂサーバ２０…とデータ通信するための通信プログラムが記憶される他に、辞書データ（１２ｂ）に基づく検索文字列の入力に応じた見出語検索処理と指定の見出語に対応した訳語や意味内容などの各種説明情報の読み出し表示処理、説明情報からの検索単語の指定に応じたジャンプ検索処理など、辞書データ（１２ｂ）に基づく検索処理全般を制御するための辞書検索処理プログラム１２ａが記憶される。
【００１８】
また、このメモリ１２には、辞書データメモリ１２ｂ、類似発音テーブル１２ｃ、発音記号テーブル１２ｄ、検索文字データメモリ１２ｅ、ワークエリア１２ｆなどが用意される。
【００１９】
辞書データメモリ１２ｂには、「英和辞典」「英英辞典」「英類語辞典」「和英辞典」「国語辞典」「漢和辞典」など、種類の異なる辞書データが各種類別に予め、あるいはダウンロードされて複数辞書記憶されるもので、例えば英語系の辞典としては「リ＊ダーズ英和辞典」「ジ＊ニアス英和辞典」「ロ＊グマン英英辞典」「英語類語辞典」が記憶される。
【００２０】
なお、英語系の辞書データは、一般にアルファベット順にした見出語（単語）のそれぞれに対し当該見出語の発音記号および訳語や例文などの説明情報が対応付けされている。
【００２１】
図２は、前記携帯機器（電子辞書）１０のメモリ１２に記憶される類似発音テーブル１２ｃのテーブルデータを示す図である。
【００２２】
この類似発音テーブル１２ｃには、例えば英語の各発音記号についてそれぞれその発音に類似した発音の発音記号が対応付けられてテーブル化されて記憶される。
【００２３】
この類似発音テーブル１２ｃのテーブルデータは、検索対象の発音記号に類似した発音記号を有する単語の検索処理を行う際に使用される。
【００２４】
図３は、前記携帯機器（電子辞書）１０のメモリ１２に記憶される発音記号テーブル１２ｄのテーブルデータを示す図である。
【００２５】
この発音記号テーブル１２ｄには、例えば英語の各単語についてそれぞれその発音記号が対応付けられてテーブル化されて記憶される。
【００２６】
この発音記号テーブル１２ｄのテーブルデータは、辞書検索された説明情報からのジャンプ検索を「類似発音検索」により行う際に、検索対象として指定された単語に対応した発音記号を見出す際に使用される。
【００２７】
また、検索文字データメモリ１２ｅには、辞書検索処理の対象として入力あるいは指定された単語や発音記号などの文字列が記憶される。
【００２８】
ワークエリア１２ｆには、前記辞書検索処理プログラム１２ａなどの各種の装置制御プログラムに従いＣＰＵ１１に入出力される種々のデータが必要に応じて記憶される。
【００２９】
一方、入力部１６には、アルファベットによる文字、数字，ひらがな，カタカナ，漢字を任意入力するための一連の文字入力キーが配列されると共に、辞書データメモリ１２ｂに記憶されている各種別のメイン辞書を指定して入力文字列に対応する見出語およびその説明情報の検索を行うための各辞書キー「英和」「英英」「国語」…、検索対象の決定や検索処理の開始の指示を行うための「訳／決定」キー、ジャンプ検索のモードに切り換えるための「ジャンプ」キー、各種データを選択する際の反転カールＫの移動に伴い適宜操作される上下左右方向の各カーソルキーなどが備えられる。
【００３０】
次に、前記構成の携帯機器（電子辞書）１０による辞書情報表示制御機能について説明する。
【００３１】
図４は、前記携帯機器（電子辞書）１０による辞書検索処理（その１）を示すフローチャートである。
【００３２】
図５は、前記携帯機器（電子辞書）１０による辞書検索処理（その２）を示すフローチャートである。
【００３３】
図６は、前記携帯機器（電子辞書）１０による辞書検索処理でのジャンプ検索に伴い説明情報中の発音記号を直接指定した場合の操作表示状態（その１）を示す図である。
【００３４】
図７は、前記携帯機器（電子辞書）１０による辞書検索処理でのジャンプ検索に伴い説明情報中の発音記号を直接指定した場合の操作表示状態（その２）を示す図である。
【００３５】
例えば英和の辞書検索を行いたい場合に、図６（Ａ）に示すように、辞書キー「英和」１６ａが選択操作されると、辞書データメモリ１２ｂにおいて当該選択された辞書種類「英和」の辞書データが読み出されて起動される（ステップＳ１）。
【００３６】
そして、「英和」の辞書検索に応じた検索文字入力画面（図示せず）が表示され、文字入力キーの操作に応じて所望の検索対象文字列（例えば「content」）が入力表示され、「訳／決定」キー１６ｂの操作に応じて検索開始が指示されると（ステップＳ２）、これに伴い当該入力文字列に対応した見出語（単語）「content」が検索され、図６（Ａ）に示すように、検索された見出語「content」に対応する発音記号を含む説明情報が「英和」の辞書データ（１２ｂ）から読出され、説明情報検索画面Ｇ１として表示部１７に表示される（ステップＳ３）。
【００３７】
この説明情報検索画面Ｇ１にあって、その説明情報の中の任意の文字列を指定してジャンプ検索を行うために「ジャンプ」キー１６ｃが操作されると（ステップＳ４）、当該説明情報の中の先頭文字列、この場合には検索された見出語（単語）「content」がジャンプ検索対象の文字列に設定され（ステップＳ５）、反転カーソルＫにより識別表示される（ステップＳ６）。
【００３８】
ここで、ジャンプ検索対象の文字列を前記図６（Ａ）に表示された見出語（単語）「content」の説明情報検索画面Ｇ１における発音記号「ka’ntent」に設定するために、「→」カーソルキー１６ｄが操作されると（ステップＳ７）、当該カーソル操作に応じた方向に反転カーソルＫが移動表示され、発音記号「ka’ntent」がジャンプ検索対象の文字列として変更設定される（ステップＳ８）。
【００３９】
なお、本明細書中での発音記号は正確な入力表記が困難なため代替え記号にて示す。
【００４０】
そして、図６（Ｂ）に示すように、「訳／決定」キー１６ｂの操作によりジャンプ検索処理の開始が指示されると（ステップＳ９）、前記反転カーソルＫにより指定表示されているジャンプ検索対象の文字列（この場合は発音記号「ka’ntent」）の文字種が検知され（ステップＳ１０）、当該文字種が英単語であるか（ステップＳ１２）、または発音記号であるか（ステップＳ１３）、または日本語文字であるか（ステップＳ３０）が判断される。
【００４１】
ここで、ジャンプ検索対象の文字列の文字種が“発音記号”であると判断されると（ステップＳ１３）、図６（Ｂ）に示すように、辞書データ１２ｂとして記憶されている英語系の各辞書名（「リ＊ダーズ英和」「ジ＊ニアス英和」「ロ＊グマン英英」「英語類語」）がジャンプ先の辞書を選択するためのジャンプ先辞書選択ウインドウＷ１として表示される（ステップＳ１４）。
【００４２】
このジャンプ先辞書選択ウインドウＷ１にあって、上下カーソルキーを操作して選択マークＭを各辞書名間で任意に移動させ、ユーザ所望のジャンプ先辞書（例えば「リ＊ダーズ英和」が選択された状態で、図７（Ｃ）に示すように、「訳／決定」キー１６ｂが操作されると、ジャンプ検索対象の文字列として指定されている発音記号「ka’ntent」が音節に区切られてその「全体音節」タグＴＧ１、「第１音節」タグＴＧ２、「第２音節」タグＴＧ３としてタグ表示されると共に、その先頭である「全体音節」タグＴＧ１が反転カーソルＫにより識別表示される（ステップＳ１５）。
【００４３】
すると、前記ステップＳ１４にて選択されたジャンプ先辞書（例えば「リ＊ダーズ英和」）の辞書データ（１２ｂ）に基づいて、ジャンプ検索対象の文字列として指定されている発音記号「ka’ntent」の全体が同一である見出語（単語）がまず検索されると共に、当該検索対象の発音記号「ka’ntent」が類似発音テーブル１２ｃに従って順次類似する発音記号に置き換えられて当該類似の発音記号と同一である見出語（単語）が順次検索され、図７（Ｃ）に示すように、類似発音記号見出語一覧画面Ｇ２として表示される（ステップＳ１６）。
【００４４】
この類似発音記号見出語一覧画面Ｇ２にあって、図７（Ｄ）に示すように、「→」カーソルキー１６ｄが操作されることで「第１音節」タグＴＧ２が反転カーソルＫにより指定されて識別表示されると（ステップＳ１７）、前記ステップＳ１６にて検索一覧表示されたジャンプ検索発音記号「ka’ntent」と同一および類似の発音記号である見出語（単語）うち、「第１音節：ka’n〜」の発音記号が同一である見出語（単語）が一覧表示される（ステップＳ１８）。
【００４５】
さらにまた、「→」カーソルキー１６ｄが操作されることで「第２音節」タグＴＧ３が反転カーソルＫにより指定されて識別表示されると（ステップＳ１９）、前記ステップＳ１６にて検索一覧表示されたジャンプ検索発音記号「ka’ntent」と同一および類似の発音記号である見出語（単語）うち、「第２音節：〜tent」の発音記号が同一である見出語（単語）が一覧表示される（ステップＳ２０）。
【００４６】
そして、前記「全体音節」タグＴＧ１、「第１音節」タグＴＧ２、「第２音節」タグＴＧ３の何れかのタグＴＧｎが指定表示されている類似発音記号見出語一覧画面Ｇ２にあって、上下カーソルキー１６ｅの操作により所望の見出語が選択されて反転カーソルＫにより識別表示され「訳／決定」キー１６ｂが操作されると（ステップＳ２１）、選択された見出語に対応する説明情報がジャンプ先辞書である「リ＊ダーズ英和」の辞書データ（１２ｂ）から読出され、説明情報検索画面Ｇ１（図６（Ａ）参照）として表示部１７に表示される（ステップＳ２２）。
【００４７】
このように、辞書検索表示された説明情報の中からジャンプ検索により発音記号を直接指定して当該指定の発音記号と同一および類似の発音記号を有する見出語（単語）をさらに検索表示させ、そのうち所望の見出語の説明情報についても容易に表示させることができる。
【００４８】
図８は、前記携帯機器（電子辞書）１０による辞書検索処理でのジャンプ検索に伴い説明情報中の単語を指定して「類似発音検索」を選択した場合の操作表示状態を示す図である。
【００４９】
例えば英語類語の辞書検索を行いたい場合に、図８（Ａ）に示すように、辞書キー「英類語」１６ｆが選択操作されると、辞書データメモリ１２ｂにおいて当該選択された辞書種類「英語類語」の辞書データが読み出されて起動される（ステップＳ１）。
【００５０】
そして、「英語類語」の辞書検索に応じた検索文字入力画面（図示せず）が表示され、文字入力キーの操作に応じて所望の検索対象文字列（例えば「nicely」）が入力表示され、「訳／決定」キー１６ｂの操作に応じて検索開始が指示されると（ステップＳ２）、これに伴い当該入力文字列「nicely」に対応した訳語およびその類語である単語「well」「right」「nicely」「successfully」…からなる説明情報が「英語類語」の辞書データ（１２ｂ）から検索され、図８（Ａ）に示すように、英類語検索画面Ｇ３として表示部１７に表示される（ステップＳ３）。
【００５１】
この英類語検索画面Ｇ３にあって、その説明情報の中の任意の文字列を指定してジャンプ検索を行うために「ジャンプ」キー１６ｃが操作されると（ステップＳ４）、当該説明情報の中の先頭文字列、この場合には検索された訳語「うまく」がジャンプ検索対象の文字列に設定され（ステップＳ５）、反転カーソルＫにより識別表示される（ステップＳ６）。
【００５２】
ここで、ジャンプ検索対象の文字列を前記図８（Ａ）に表示された英類語検索画面Ｇ３における類語である単語「right」に設定するために、「→」カーソルキー１６ｄが操作されると（ステップＳ７）、当該カーソル操作に応じて反転カーソルＫが移動表示され、類語の単語「right」がジャンプ検索対象の文字列として変更設定される（ステップＳ８）。
【００５３】
そして、図８（Ｂ）に示すように、「訳／決定」キー１６ｂの操作によりジャンプ検索処理の開始が指示されると（ステップＳ９）、前記反転カーソルＫにより指定表示されているジャンプ検索対象の文字列（この場合は類語の単語「right」）の文字種が検知され（ステップＳ１０）、当該文字種が英単語であるか（ステップＳ１２）、または発音記号であるか（ステップＳ１３）、または日本語文字であるか（ステップＳ３０）が判断される。
【００５４】
ここで、ジャンプ検索対象の文字列の文字種が“英単語”であると判断されると（ステップＳ１２）、図８（Ｂ）に示すように、検索方式の選択項目を「通常検索」Ｔと「類似発音検索」Ｒとして示す（ステップＳ２３）と共に、辞書データ１２ｂとして記憶されている英語系の各辞書名（「リ＊ダーズ英和」「ジ＊ニアス英和」「ロ＊グマン英英」「英語類語」）の何れかをジャンプ先の辞書として選択するためのジャンプ内容／辞書選択ウインドウＷ２が表示される（ステップＳ２４）。
【００５５】
このジャンプ内容／辞書選択ウインドウＷ２にあって、まずは左右カーソルキー１６ｄを操作して反転カーソルＫを検索方式の選択項目間で移動させ、「通常検索」Ｔまたは「類似発音検索」Ｒの何れかを選択した（ステップＳ２５）後に、上下カーソルキー１６ｅを操作して選択マークＭを各辞書名間で任意に移動させ、ユーザ所望のジャンプ先辞書を選択した状態（ステップＳ２６）で、「訳／決定」キー１６ｂが操作されると、今回の検索方式として「類似発音検索」Ｒが選択されたか、または「通常検索」Ｔが選択されたかが判断される（ステップＳ２７）。 
【００５６】
ここで、図８（Ｂ）で示したように、今回の検索方式として「類似発音検索」Ｒが選択されたと判断された場合（ステップＳ２７（Ｙｅｓ））には、前記ジャンプ検索対象として指定されている単語「right」が発音記号テーブル１２ｄに従って発音記号「ra’it」に変換される（ステップＳ２８）。
【００５７】
すると、図８（Ｃ）に示すように、前記指定単語「right」の発音記号「ra’it」が音節に区切られてその「全体音節」タグＴＧ１、「第１音節」タグＴＧ２としてタグ表示されると共に、その先頭である「全体音節」タグＴＧ１が反転カーソルＫにより識別表示される（ステップＳ１５）。
【００５８】
すると、前記ステップＳ２６にて選択されたジャンプ先辞書（例えば「リ＊ダーズ英和」）の辞書データ（１２ｂ）に基づいて、ジャンプ検索（類似発音検索）対象である指定単語の発音記号「ra’it」の全体が同一である見出語（単語）がまず検索されると共に、当該検索対象の発音記号「ra’it」が類似発音テーブル１２ｃに従って順次類似する発音記号に置き換えられて当該類似の発音記号と同一である見出語（単語）が順次検索され、類似発音記号見出語一覧画面Ｇ２として表示される（ステップＳ１６）。
【００５９】
この類似発音記号見出語一覧画面Ｇ２にあって、「→」カーソルキー１６ｄが操作されることで「第１音節」タグＴＧ２が反転カーソルＫにより指定されて識別表示されると（ステップＳ１７）、前記ステップＳ１６にて検索一覧表示されたジャンプ検索発音記号「ra’it」と同一および類似の発音記号である見出語（単語）うち、「第１音節：ra’it〜」の発音記号が同一である見出語（単語）が一覧表示される（ステップＳ１８）。
【００６０】
そして、前記「全体音節」タグＴＧ１、「第１音節」タグＴＧ２の何れかのタグＴＧｎが指定表示されている類似発音記号見出語一覧画面Ｇ２にあって、上下カーソルキー１６ｅの操作により所望の見出語が選択されて反転カーソルＫにより識別表示され「訳／決定」キー１６ｂが操作されると（ステップＳ２１）、選択された見出語に対応する説明情報がジャンプ先辞書である「リ＊ダーズ英和」の辞書データ（１２ｂ）から読出され、説明情報検索画面Ｇ１（図６（Ａ）参照）として表示部１７に表示される（ステップＳ２２）。
【００６１】
このように、英語類語として検索表示された説明情報の中から類語である単語をジャンプ検索対象に指定すると共に、検索方式として「類似発音検索」を選択すると、指定の単語を発音記号に変換して当該発音記号と同一および類似の発音記号を有する見出語（単語）をさらに検索表示させ、そのうち所望の見出語の説明情報についても容易に表示させることができる。
【００６２】
一方、前記図８（Ｂ）で示したジャンプ内容／辞書選択ウインドウＷ２の表示状態において、今回の検索方式として「通常検索」Ｔが選択された場合（ステップＳ２７（Ｎｏ））には、ジャンプ検索対象である指定の英単語「right」に対応する見出語の説明情報がジャンプ先辞書である「リ＊ダーズ英和」の辞書データ（１２ｂ）から検索されて読出され、説明情報検索画面Ｇ１（図６（Ａ）参照）として表示部１７に表示される（ステップＳ２９）。
【００６３】
なお、前記図８（Ｂ）で示したジャンプ内容／辞書選択ウインドウＷ２では、「通常検索」Ｔと「類似発音検索」Ｒの選択項目を示し、その何れかの項目を選択してジャンプ検索方式を決定するものとしたが、次の図９で示すようなジャンプ内容／辞書選択ウインドウＷ２′によって同検索方式を選択決定する構成としてもよい。
【００６４】
図９は、前記携帯機器（電子辞書）１０による辞書検索処理でのジャンプ内容／辞書選択ウインドウＷ２′を示す図である。
【００６５】
このジャンプ内容／辞書選択ウインドウＷ２′では、当該ウインドウＷ２′の先頭位置に、例えば「設定」キーの繰り返し操作によってチェックボックスCHのＯＮ／ＯＦＦが可能な「類似発音検索」の項目を表示させ、当該チェックボックスCHのＯＮで“類似発音検索”、ＯＦＦで“通常検索”のジャンプ検索方式を決定できる。
【００６６】
なお、前記「類似発音検索」の選択によるジャンプ検索処理を行う場合であって、ジャンプ先辞書として選択される英語系の各辞書データ（１２ｂ）について、それぞれその発音記号の記号表記が同一の発音であっても異なる記号表記である場合には、所定の記号表記の発音記号に変換するための発音記号変換テーブルを用意し、各辞書間で統一された発音記号表記とすることで、正しい「類似発音検索」によるジャンプ検索処理を行うことができる。
【００６７】
一方、前記図６（Ａ）で示した説明情報検索画面Ｇ１、あるいは前記図８（Ａ）で示した英類語検索画面Ｇ３にあって、当該検索画面Ｇ１あるいはＧ３中の何れかの文字列がジャンプ対象文字列として指定され「訳／決定」キー１６ｂが操作された場合に（ステップＳ４〜Ｓ９）、当該指定のジャンプ対象文字列の文字種が「日本語文字」であると判断された場合には（ステップＳ１０→Ｓ３０）、辞書データ１２ｂとして記憶されている日本語系の各辞書名（「現代国語」「広＊苑」…）がジャンプ先辞書の選択ウインドウ（図示せず）として表示される（ステップＳ３１）。
【００６８】
このジャンプ先日本語系辞書の選択ウインドウにあって、上下カーソルキーを操作して選択マークＭを各辞書名間で任意に移動させ、ユーザ所望のジャンプ先辞書（例えば「広＊苑」）が選択された状態で「訳／決定」キー１６ｂが操作されると（ステップＳ３２）、ジャンプ検索対象である指定の日本語文字に対応する見出語の説明情報がジャンプ先辞書である「広＊苑」の辞書データ（１２ｂ）から検索されて読出され表示部１７に表示される（ステップＳ３３）。
【００６９】
したがって、前記構成の携帯機器（電子辞書）１０による辞書情報表示制御機能によれば、例えば「英和」辞書（１２ｂ）での辞書検索に伴い入力された検索文字列に対応する見出語（英単語）とその発音記号を含む説明情報が説明情報検索画面Ｇ１として表示された状態で、ジャンプ検索対象として発音記号を指定しジャンプ先辞書を選択した後に検索開始すると、指定の発音記号と同一の発音記号を有する見出語（単語）および類似発音テーブル１２ｃによって類似の発音記号に順次置き換えられた発音記号を有する見出語（単語）が検索され、類似発音記号見出語一覧画面Ｇ２として表示されるので、説明情報に含まれている発音記号を検索対象に指定して辞書検索を行うことができる。
【００７０】
また、前記構成の携帯機器（電子辞書）１０による辞書情報表示制御機能によれば、類似発音記号見出語一覧画面Ｇ２にあって、指定の発音記号を音節毎に表記する第ｎ音節タグＴＧｎの何れかを選択すると、当該選択された第ｎ音節の発音記号と同一の発音記号を含んで類似する発音記号の見出語（単語）だけが検索されて一覧表示されるので、指定の発音記号と一部で発音が同じ類似の見出語（単語）を容易に見つけることができる。
【００７１】
また、前記構成の携帯機器（電子辞書）１０による辞書情報表示制御機能によれば、例えば「英語類語」辞書（１２ｂ）での辞書検索処理に伴う説明情報の英類語検索画面Ｇ３の表示状態にあって、ジャンプ検索対象として類語の単語を指定し「類似発音検索」Ｒの検索方式を選択して検索開始すると、指定の単語が発音記号テーブル１２ｄによって発音記号に変換され、同一の発音記号を有する見出語（単語）および類似発音テーブル１２ｃによって類似の発音記号に順次置き換えられた発音記号を有する見出語（単語）が検索され、類似発音記号見出語一覧画面Ｇ２として表示されるので、説明情報に含まれている英単語を指定し「類似発音検索」方式を選択することで、当該指定単語の発音記号を容易に検索対象にして辞書検索を行うことができる。
【００７２】
なお、前記実施形態において記載した携帯機器（電子辞書）１０による各処理の手法、すなわち、図４・図５のフローチャートに示す辞書検索処理での各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体１３に格納して配布することができる。そして、辞書データベースを記憶した種々のコンピュータ端末は、この外部記憶媒体１３に記憶されたプログラムを記憶媒体読取部１４によってメモリ１２に読み込み、この読み込んだプログラムによって動作が制御されることにより、前記実施形態において説明した辞書検索表示機能を実現し、前述した手法による同様の処理を実行することができる。
【００７３】
また、前記各手法を実現するためのプログラムのデータは、プログラムコードの形態として通信ネットワーク（インターネット）Ｎ上を伝送させることができ、この通信ネットワーク（インターネット）Ｎに接続されたコンピュータ端末（プログラムサーバ）２０から前記のプログラムデータを取り込み、前述した辞書検索表示機能を実現することもできる。
【００７４】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【００７５】
１０ …携帯機器（電子辞書）
１１ …ＣＰＵ
１２ …メモリ
１２ａ…辞書検索処理プログラム
１２ｂ…辞書データメモリ
１２ｃ…類似発音テーブル
１２ｄ…発音記号テーブル
１２ｅ…検索文字データメモリ
１２ｆ…ワークエリア
１３ …外部記憶媒体
１４ …記憶媒体読取部
１５ …通信部
１６ …入力部
１７ …表示部
２０ …Ｗｅｂサーバ
Ｎ …通信ネットワーク（インターネット） 
【図１】
2010040045.tif 000003
【図２】
2010040045.tif 000004
【図３】
2010040045.tif 000005
【図４】
2010040045.tif 000006
【図５】
2010040045.tif 000007
【図６】
2010040045.tif 000008
【図７】
2010040045.tif 000009
【図８】
2010040045.tif 000010
【図９】
2010040045.tif 000011